(57)【要約】【課題】取り込まれた画像データを分割して、別々に出力することで、検査対象の画像データの観察および診断時間の短縮を図ること。【解決手段】被検体内導入装置から取り込んだ、同一被検体内で撮像された連続する画像データを、予め設定された時間、たとえば画像データの撮像開始から５時間までと、５時間経過から撮像が終了する１０時間までの２つのブロック毎に分割して、別々の情報処理端末としての画像表示端末装置２０，３０に出力することで、複数の画像表示端末装置に表示可能とする。【選択図】        図３
2011172965.tif 000002
【特許請求の範囲】
【請求項１】
被検体内導入装置によって撮像して得られた複数の画像データを取り込む取込部と、
前記取込部により取り込まれた各画像データを、撮像した時間或いは撮像部位にしたがって複数のブロックのうちの一つのブロックへ振り分ける分割部と、
前記分割手段により分割されたブロックを選択するブロック選択部と、
前記選択されたブロックに含まれる複数の画像データの中から選択された1以上の画像データの縮小画像を表示する縮小画像表示領域と、前記画像データに対応するタイムバーと、前記タイムバー上に前記ブロックの位置を示すブロック位置表示領域と、前記タイムバー上に前記該１以上の縮小画像の位置情報を示す位置情報表示領域と、被検体に対するコメント情報を表示するコメント作成領域とを有する表示部と、
前記表示部によって表示された前記コメント情報、前記１以上の縮小画像と前記タイムバー、前記ブロック位置表示、および前記位置情報を含む前記被検体のカルテ情報を作成する編集部と、
を備えることを特徴とする画像表示システム。
【請求項２】
前記分割部により分割された複数の画像データをブロックごとに記録する画像データ記録部を備えることを特徴とする請求項１に記載の画像表示システム。
【請求項３】
前記表示部は、双方向通信可能なネットワークに接続された画像表示端末装置が備えることを特徴とする請求項１または２に記載の画像表示システム。
【請求項４】
前記編集部によって作成された前記カルテ情報を記録するカルテ情報記録部を備えたことを特徴とする請求項１〜３のいずれか一つに記載の画像表示システム。
【請求項５】
前記表示部は、前記１以上の縮小画像に付された番号を前記タイムバー上に表示し、前記タイムバーは、前記番号の位置によって前記１以上の縮小画像の各位置を示すことを特徴とする請求項１〜４のいずれか一つに記載の画像表示システム。
【請求項６】
被検体内導入装置により撮像して得られた画像データを表示する画像表示端末装置であって、
撮像した時間或いは撮像部位にしたがって分割されたブロックを選択するブロック選択部と、
前記選択されたブロックに含まれる複数の画像データの中から選択された1以上の画像データの縮小画像を表示する縮小画像表示領域と、前記画像データに対応するタイムバーと、前記タイムバー上に前記ブロックの位置を示すブロック位置表示領域と、前記タイムバー上に前記該１以上の縮小画像の位置情報を示す位置情報表示領域と、被検体に対するコメント情報を表示するコメント作成領域とを有する表示部と、
前記表示手段によって表示された前記コメント情報、前記１以上の縮小画像と前記タイムバー、前記ブロック位置表示、および前記位置情報を含む前記被検体のカルテ情報を作成する編集部と、
を備えることを特徴とする画像表示端末装置。
【請求項７】
前記編集部により作成されたカルテ情報を、サーバへ出力する出力部を備えることを特徴とする請求項６に記載の画像表示端末装置。
【発明の詳細な説明】
【技術分野】
【０００１】
本発明は、被検体内に導入された、たとえば飲み込み型のカプセル型内視鏡などの被検体内導入装置で撮像された画像データを表示する画像表示システムおよび画像表示端末装置に関するものである。
【背景技術】
【０００２】
近年、内視鏡の分野では、撮像機能と無線機能とが装備されたカプセル型内視鏡が登場している。このカプセル型内視鏡は、観察（検査）のために被検体である被検者に飲み込まれた後、被検者の生体から自然排出されるまでの観察期間、胃、小腸などの臓器の内部（体腔内）をその蠕動運動に伴って移動し、撮像機能を用いて順次撮像する構成である。
【０００３】
また、これら臓器内の移動によるこの観察期間、カプセル型内視鏡によって体腔内で撮像された画像データは、無線機能により、被検体の外部に設けられた外部装置に送信され、外部装置内に設けられたメモリに蓄積される。被検者がこの無線機能とメモリ機能を備えた外部装置を携帯することにより、被検者は、カプセル型内視鏡を飲み込んだ後、排出されるまでの観察期間、不自由を被ることなく行動が可能になる。観察後は、医者もしくは看護士によって、外部装置のメモリに蓄積された画像データに基づいて、体腔内の画像をディスプレイなどの表示手段に表示させて診断を行うことができる。
【先行技術文献】
【特許文献】
【０００４】
【特許文献１】特開２００３−１９１１１号公報
【発明の概要】
【発明が解決しようとする課題】
【０００５】
このようなカプセル型内視鏡による観察から診断までのシステムでは、たとえば８時間〜１０時間程度の長時間撮像された膨大な画像データを全て検査する必要があるため、観察、診断などの段階において、非常に長い時間がかかるが、従来のシステムでは、観察や診断時間に関しては特に考慮されていなかった。
【０００６】
本発明は、上記問題に鑑みてなされたものであって、取り込まれた画像データを分割して、別々に出力することで、検査対象の画像データの観察および診断時間の短縮を図ることができる画像表示システムを提供することを目的とする。
【課題を解決するための手段】
【０００７】
上述した課題を解決し、目的を達成するために、本発明にかかる画像表示システムは、被検体内導入装置によって撮像して得られた複数の画像データを取り込む取込手段と、これら取り込んだ画像データそれぞれを、予め設定した所定の条件にしたがって複数のグループのうちの一つのグループへ振り分ける分割手段と、ユーザ要求に応じて、一グループごとに振り分けられた画像データを順次表示させることができる管理手段と、を備えることを特徴とする。
【０００８】
また、本発明にかかる画像表示システムは、上記発明において、前記分割手段が、撮像した時間或いは撮像部位にしたがって一のグループへ振り分けるものであることを特徴とする。
【０００９】
また、本発明にかかる画像表示システムは、前記画像データを記録する記録手段を備えるとともに、当該記録手段が複数の画像データをグループごと記録することを特徴とする。
【００１０】
また、本発明にかかる画像表示システムは、上記発明において、前記管理手段が、双方向通信可能なネットワークに接続された情報処理端末に画像データを順次表示させるものであることを特徴とする。
【発明の効果】
【００１１】
本発明にかかる画像表示システムは、被検体内導入装置から取り込んだ画像データを予め設定された複数のブロック毎の画像データに分割して、別々に出力することで、検査対象の画像データの観察および診断時間の短縮を図ることができるという効果を奏する。
【図面の簡単な説明】
【００１２】
【図１】図１は、無線型被検体内情報取得システムの全体構成を示す模式図である。
【図２】図２は、図１に示した画像表示システムの全体構成を示す全体構成図である。
【図３】図３は、図２に示したサーバと画像表示端末装置との詳細構成を示す構成図である。
【図４】図４は、画像データの分割状態を説明するため実施の形態１の一例にかかるタイムチャートである。
【図５】図５は、図３に示したカルテ情報の情報構成を示す図である。
【図６】図６は、図３に示した画像表示端末装置の表示部に表示される検査データ一覧のウィンドウの構成の一例を示す構成図である。
【図７】図７は、図３に示した一方の画像表示端末装置の表示部に表示される観察画像のウィンドウの構成の一例を示す構成図である。
【図８】図８は、同じく、他方の画像表示端末装置の表示部に表示される観察画像のウィンドウの構成の一例を示す構成図である。
【図９】図９は、同じく、画像表示端末装置の表示部に表示されるカルテ作成用のウィンドウの構成の一例を示す構成図である。
【図１０】図１０は、同じく、サーバの動作を示すフローチャートである。
【図１１】図１１は、画像データの分割状態を説明するための実施の形態１の他例にかかるタイムチャートである。
【発明を実施するための形態】
【００１３】
以下に、本発明にかかる画像表示システムの実施の形態を図１〜図１１の図面に基づいて詳細に説明する。なお、以下の図面において、同一の構成部分については、説明の都合上、同一の符号を付記するものとする。また、本発明は、これらの実施の形態に限定されるものではなく、本発明の要旨を逸脱しない範囲で種々の変更実施の形態が可能である。
【００１４】
（実施の形態１）
図１は、無線型被検体内情報取得システムの全体構成を示す模式図である。図１において、無線型被検体内情報取得システムは、無線受信機能を有する受信装置２と、被検体１内に導入され、体腔内画像を撮像して受信装置２に対して映像信号などのデータ送信を行うカプセル型内視鏡（被検体内導入装置）３とを備える。また、無線型被検体内情報取得システムは、受信装置２が受信した映像信号に基づいて体腔内画像を表示する画像表示システム４と、受信装置２と画像表示システム４との間でデータの受け渡しを行うための携帯型記録媒体５とを備える。受信装置２は、被検体１によって着用される受身アンテナ２ａと、受信される無線信号の処理などを行う受信装置本体２ｂとを備える。
【００１５】
画像表示システム４は、図２の全体構成図に示すように、カプセル型内視鏡３によって撮像された体腔内画像などを表示するためのものであり、携帯型記録媒体５によって得られる検査対象の画像データ（以下、「検査データ」という）に基づいて画像表示を行うワークステーションなどのようなシステム構成を有する。画像表示システム４は、カプセル型内視鏡３が撮像した画像に基づく複数の静止画像を順次表示する。以下、この順次表示された画像を全体として擬似動画像という。
【００１６】
具体的には、画像表示システム４は、検査データを取り込むサーバ１０と、このサーバ１０とローカルエリアネットワーク（以下、「ＬＡＮ」という）４０で接続されるたとえば２台の情報処理端末としての画像表示端末装置２０，３０とを備える。サーバ１０および画像表示端末装置２０，３０は、ＣＲＴディスプレイ、液晶ディスプレイなどによって直接画像を表示する構成であるが、プリンタなどのように、他の媒体に画像を出力する構成とすることも可能である。
【００１７】
携帯型記録媒体５は、受信装置本体２ｂおよびワークステーションを構成する画像表示システム４のサーバ１０に対して着脱可能であって、両者に対して挿着された時に情報の出力または記録が可能な構造を有する。この実施の形態では、携帯型記録媒体５は、たとえば検査前には、サーバ１０に挿着されて検査ＩＤなどの識別情報が記憶され、さらに検査の直前には、受信装置本体２ｂに挿着され、この受信装置本体２ｂによって、この識別情報が読み出されて受信装置本体２ｂ内に登録される。また、カプセル型内視鏡３が被検体１の体腔内を移動している間は、携帯型記録媒体５は、被検体１に取り付けられた受信装置本体２ｂに挿着されてカプセル型内視鏡３から送信されるデータを記録する。そして、カプセル型内視鏡３が被検体１から排出された後、つまり、被検体１の内部の撮像が終了した後には、受信装置本体２ｂから取り出されてサーバ１０に挿着され、このサーバ１０によって、携帯型記録媒体５に記録されたデータが読み出される構成を有する。たとえば、受信装置本体２ｂとサーバ１０とのデータの受け渡しを、コンパクトフラッシュ（登録商標）メモリなどから構成される携帯型記録媒体５によって行うことで、受信装置本体２ｂとサーバ１０との間が有線で直接接続された場合よりも、被検体１が体腔内の撮影中に自由に動作することが可能となる。なお、ここでは、受信装置本体２ｂとサーバ１０との間のデータの受け渡しに携帯型記録媒体５を使用したが、必ずしもこれに限らず、たとえば受信装置本体２ｂに内蔵型の他の記録装置、たとえばハードディスクを用い、サーバ１０との間のデータの受け渡しのために、双方を有線または無線接続するように構成してもよい。
【００１８】
次に、図２に示したサーバと画像表示端末装置の詳細な構成を図３の構成図を用いて説明する。なお、画像表示端末装置２０，３０は同様の構成なので、ここでは、代表して画像表示端末装置２０の構成を示す。
【００１９】
図３において、サーバ１０は、携帯型記録媒体５から検査データを取り込む取込手段としての画像取込部１１と、各種制御を行う制御部１２と、検査データなどの記録を行う記録手段としての記録部１３と、ＬＡＮ４０と接続されるＬＡＮインターフェース１４とを備える。また、サーバ１０は、キーボードやマウスなどからなる入力部１５と、ＣＲＴディスプレイや液晶ディスプレイなどからなる表示部１６とを備える。
【００２０】
画像取込部１１は、内部に携帯型記録媒体５が挿入されると、この携帯型記録媒体５から検査データを取り込んで制御部１２に出力している。制御部１２は、画像取込部１１からの検査データが入力する分割手段としての分割部１２ａと、検査データなどの管理を行う管理手段としての管理部１２ｂと、検査データに基づく擬似動画像などの表示制御を行う表示制御部１２ｃとを備える。
【００２１】
分割部１２ａは、入力する検査データを、撮像開始からの予め設定された経過時間に基づいて、分割している。すなわち、カプセル型内視鏡の検査では、全体の検査が１０時間程度かかる場合があり、この実施の形態では、図４のタイムチャートに示すように、ブロック１を検査開始から５時間までの検査データとし、ブロック２を５時間の経過時間から１０時間までの検査データとして、検査データを２つのブロック１，２のどちらかに振り分けて分割している。なお、この分割において、携帯型記録媒体５から入力する検査データには、受信装置２で検査データ毎に予め取得した時間情報が付与されているので、分割部１２ａは、この時間情報を利用して、経過時間に基づく分割を行う。
【００２２】
管理部１２ｂには、検査対象を識別するための検査識別情報（以下、「検査ＩＤ」という）と、検査データの検査を行う医師などを識別するための識別情報（以下、「医師ＩＤ」という）とが、入力部１５から予め入力して登録されている。この管理部１２ｂは、分割部１２ａで各ブロック１，２に分割された検査データに対して、該当する検査対象の検査ＩＤと、検査を担当する医師の医師ＩＤを割り当てている。また、管理部１２ｂは、分割部１２ａによって分割されたブロック１，２毎の検査データ（以下、「画像群Ａ，Ｂ」という）を、たとえばフォルダ形式（フォルダＣ，Ｄ）にして記録部１３に記録させている。また、管理部１２ｂは、表示制御部１２ｃに対して、入力部１５から入力するデータや記録部１３内に登録されたデータやＬＡＮインターフェース１４から入力するデータの表示部１６への表示を可能にするために、データの入出力を管理している。さらに、管理部１２ｂは、ＬＡＮインターフェース１４から入力するカルテ情報をフォルダ形式（フォルダＥ）にして記録部１３に記録させている。なお、フォルダＣ，Ｄに記録された画像群Ａ，Ｂは、画像ごとに、受信装置２における検査データの受信順にしたがって、フレーム番号と時間情報とが付与されている。
【００２３】
記録部１３は、たとえばサーバ１０に内蔵されているハードディスクからなり、上述したフォルダ形式の画像群Ａ，Ｂやカルテ情報の情報群Ｋなどを記録しており、管理部１２ｂの制御によって、このフォルダ形式のデータの書き込みや読み出しが行われている。結果データとしてのカルテ情報Ｐ０は、画像表示端末装置２０，３０で作成される情報であり、たとえば図５に示すように、該当する検査対象の検査ＩＤと、分割部１２ａで分割されたブロック番号と、検査を行った医師の医師ＩＤと、選択された後述する縮小画像位置情報と、医師によって作成されたコメント情報などから構成されている。なお、サーバ１０に備えられる画像取込部１１、入力部１５、表示部１６は、図示しない入出力用のインターフェースを介して制御部１２と接続されており、この制御部１２によって、各部の処理または動作が制御されている。
【００２４】
画像表示端末装置２０は、図３に示すように、ＬＡＮ４０と接続されるＬＡＮインターフェース２１と、各種制御を行う制御部２２と、取り込まれた画像群、この実施の形態では、たとえば画像群Ａなどの記録を行う記録部１３と、データ入力を行うための入力部２４と、擬似動画像などの表示を行うための表示部２５とを備える。また、画像表示端末装置２０は、キーボードやマウスなどからなる入力部２４と、ＣＲＴディスプレイや液晶ディスプレイなどからなる表示部２５とを備える。
【００２５】
制御部２２は、各種データの編集作業を行う編集部２２ａと、表示部２５の表示制御を行う表示制御部２２ｂとを備える。編集部２２ａは、入力部２４による医師ＩＤのログインの後に、表示制御部２２ｂを制御して、表示部２５に検査データ一覧のウィンドウ画面を表示させて、ブロック選択によって、サーバ１０に対して検査データの画像群Ａの出力要求を行う。さらに、編集部２２ａは、ＬＡＮインターフェース２１から入力する画像群Ａを、フォルダ形式（フォルダＦ）にして記録部２３に記録させる。また、編集部２２ａは、この記録された画像群Ａの中から選択された画像に対する縮小画像の画像群Ａ１を、フォルダ形式（フォルダＧ）にして記録部２３に記録させる。
【００２６】
このブロック選択の際に用いられる検査データ一覧のウィンドウＱ０は、たとえば図６に示すように、記録部１３に記録されている画像群に対応する検査ＩＤ、この実施の形態では、「２００４０７２１００１」、「２００４０７２１００２」、「２００４０８０１００１」と、ブロック番号、この実施の形態では、「ブロック１」、「ブロック２」、「ブロック３」と、各ブロック１〜３の使用状態を示すステータスの表示領域が設けられている。したがって、該当する検査ＩＤを入力部２４のマウスなどで選択すると、その検査ＩＤにおいて、分割されたブロック数と、各ブロックのステータス情報が表示されることとなる。なお、図６では、たとえば「２００４０８０１００１」に対応する画像群の分割されたブロック１〜３が表示され、ブロック１のステータス情報のみが「使用中」で、他のブロック２，３のステータス情報は未使用を示す「未」が表示されている。また、各ブロックの検査が終了した場合には、たとえば該当するブロックのステータス情報に「済み」などを表示させることも可能である。
【００２７】
また、編集部２２ａは、擬似動画像の表示が、入力部２４によって指示された場合には、表示制御部２２ｂを制御して表示部２５に観察画像のウィンドウ画面を表示させて、そのウィンドウ画面の中の所定位置に、画像群Ａに基づく擬似動画像を表示させる。さらに、編集部２２ａは、表示部２５に表示された擬似動画像の中から所望の画像が、入力部２４によって指示された場合には、表示制御部２２ｂを制御して表示部２５に、この指示された画像に基づく縮小画像を上記ウィンドウ画面内に表示させ、かつこの指示された画像に対する縮小画像を、たとえば選択された画像のフレーム番号に対応させてフォルダＧに記録させる。この実施の形態では、たとえばこのフレーム番号が縮小画像の位置情報に相当する。
【００２８】
この画像表示端末装置２０における観察画像のウィンドウＸ０は、たとえば図７の構成図に示すように、大きく分けて、この検査を識別するための各種識別情報を表示する識別情報表示領域Ｘ１と、疑似動画像を表示する観察画面表示領域Ｘ２と、縮小画像を表示する縮小画像表示領域Ｘ３と、タイムバーＸ４とが設けられている。観察画面表示領域Ｘ２には、フォルダＦに記録された画像群Ａが順次表示され、タイムバーＸ４上には、現在の表示位置を示す現在表示位置マーカが表示される。また、縮小画像表示領域Ｘ３には、画像群Ａの中から選択された画像に対する縮小画像が撮像順にしたがって番号が付されて表示される。さらに、タイムバーＸ４においても、選択された画像の位置に、撮影順にしたがって番号が付されて表示される。
【００２９】
また、図８は、図３に示した画像表示端末装置３０の表示部に表示される観察画像のウィンドウＹ０の構成の一例を示す構成図である。画像表示端末装置３０における観察画像のウィンドウＹ０も、画像表示端末装置２０における観察画像のウィンドウＸ０とほぼ同様に、識別情報表示領域Ｙ１、観察画面表示領域Ｙ２、縮小画像表示領域Ｙ３、タイムバーＹ４が設けられているが、異なる点は、画像端末装置３０には、画像群Ｂによって構成されるブロック２が取り込まれており、この取り込んだブロックの経過時間の違いによって、タイムバーＹ４には、５時間の経過時間から１０時間までのブロック位置表示Ｙ４１がなされている点である。
【００３０】
また、編集部２２ａは、擬似動画像の観察終了が、入力部２４によって指示された場合には、表示制御部２２ｂを制御して表示部２５にカルテ情報作成用のウィンドウ画面を表示させて、このウィンドウ画面の中の所定位置に、コメント作成領域を表示させて、キーボードによる観察者（医師）の所見などのコメントの表示を可能にする。さらに、編集部２２ａは、作成したカルテを、たとえば記録部２３に記録するとともに、このカルテに基づく、カルテ情報（図５参照）をＬＡＮインターフェース２１を介してサーバ１０に出力する。なお、カルテ情報作成用のウィンドウＺ０の表示は、たとえば操作ボタンＸ５内のリポート（Ｒｅｐｏｒｔ）ボタンＸ５２がマウスによって右クリックされることによって実行される。
【００３１】
このカルテ作成用のウィンドウＺ０は、たとえば図９に示すように、大きく分けて、この検査を識別するための各種識別情報を表示する識別情報表示領域Ｚ１と、上述したコメント作成領域Ｚ２と、タイムバーＺ３と、縮小画像を表示する縮小画像表示領域Ｚ４とが設けられている。また、このタイムバーＺ３には、画像群Ａの中から選択された画像の位置に、撮影順にしたがって番号が付されて表示される。さらに、縮小画像表示領域Ｚ４においても、選択された画像に対する縮小画像が撮像順にしたがって番号が付されて表示される。なお、作成したカルテの記録およびサーバ１０への出力は、ウィンドウＺ０内の登録ボタンＺ５がマウスによって右クリックされると、編集部２２ａによって実行される。
【００３２】
次に、この画像表示システムにおける画像分割からカルテ作成の一連の動作を説明する。図１０は、サーバ１０の動作を示すフローチャートである。なお、この実施の形態では、画像表示端末装置２０にて画像の観察を行う場合を説明する。
【００３３】
図１０において、サーバ１０の制御部１２は、画像取込部１１によって検査データが取り込まれたかどうか判断しており（ステップ１０１）、ここで検査データが取り込まれると、分割部１２ａは、予め設定された経過時間に基づいて、この取り込まれた検査データを分割する（ステップ１０２）。なお、この実施の形態では、検査データを、検査開始から５時間までと、５時間の経過時間から１０時間までの２つのブロック１，２の画像群Ａ，Ｂに分割している。
【００３４】
そして、管理部１２ｂは、分割部１２ａによる検査データの分割が終了すると、この画像群Ａ，ＢをそれぞれのフォルダＣ，Ｄ形式にして記録部１３に記録する（ステップ１０３）。次に、管理部１２ｂは、画像表示端末装置２０，３０から画像群の出力要求があったかどうか判断する（ステップ１０４）。
【００３５】
一方、画像表示端末装置２０では、医師による画像観察の状態が整うと、医師ＩＤによるログインを行い、かつ表示部２５に図６に示す検査データ一覧のウィンドウＱ０を表示させて、検査対象の検査ＩＤとブロックをマウスの右クリックによって指定することで、サーバ１０に対して出力要求を行う。
【００３６】
サーバ１０では、画像表示端末装置２０から出力要求があると、管理部１２ｂが出力要求があった画像表示端末装置２０に指定されたブロック（画像群Ａ）を、記録部１３から読み出して、ＬＡＮインターフェース１４，２１を介して画像表示端末装置２０に出力する（ステップ１０５）。そして、管理部１２ｂは、カルテ情報が入力されるのを待つ（ステップ１０６）。
【００３７】
画像表示端末装置２０では、サーバ１０から指定したブロック１（画像群Ａ）の入力があると、編集部２２ａは、この画像群ＡをフォルダＣ形式にして記録部２３に記録し、さらに入力部２４によって擬似動画像の表示の指示がなされると、表示制御部２２ｂを制御して、観察画像のウィンドウＸ０を表示部２５に表示させて（図７参照）、この画像群Ａに基づく擬似動画像を表示させる。
【００３８】
そして、マウスによって擬似動画像の中から所望の画像が右クリックされると、編集部２２ａは、ウィンドウＸ０の縮小画像表示領域Ｘ３に、選択された画像に基づく縮小画像Ｘ３１を、撮像順にしたがって番号を付して表示させる。また、これと同様に、タイムバーＸ４にも、選択された画像の位置に、撮像順にしたがって番号情報を付して表示させる。
【００３９】
次に、マウスによって操作ボタンＸ５内のリポートボタンＸ５２が右クリックされると、編集部２２ａは、表示制御部２２ｂを制御して表示部２５にカルテ情報作成用のウィンドウＺ０を表示させて（図９参照）、コメントの作成を可能にする。そして、このウィンドウＺ０内の登録ボタンがマウスによって右クリックされると、編集部２２ａは、図６に示した結果データとしてのカルテ情報を作成し、このカルテ情報Ｐ０をＬＡＮインターフェース２１，１４を介してサーバ１０に出力する。
【００４０】
同様に、画像表示端末装置３０でも、サーバ１０から指定したブロック２（画像群Ｂ）の入力があると、入力部、制御部の編集部、表示制御部、表示部及び記録部が上記動作を行なって、ブロック２に対するカルテ情報をサーバ１０に出力することが可能となる。
【００４１】
サーバ１０では、ステップ１０６において、カルテ情報Ｐ０の入力があると、管理部１２ｂは、この入力したカルテ情報Ｐ０を、フォルダＥ形式にして記録部１３に記録する（ステップ１０７）。そして、上記検査ＩＤに対する全てのブロックの検査が終了すると、管理部１２ｂは、たとえば記録部１３のファイルＥに記録されたこれらカルテ情報の情報群Ｋを、表示部１６に表示させて、これらカルテ情報に基づいて、総合的な観察判断が行えることを可能にする。
【００４２】
このように、この実施の形態では、同一被検体内で撮像された連続する画像データの撮像開始からの予め設定された経過時間に基づいて、画像データを複数のブロック（画像群）に分割し、この分割したブロック毎に各画像表示端末装置で観察および検査を行うことを可能としたので、検査対象の画像データの観察および診断時間の短縮を図ることができる。なお、この実施の形態に示した検査データの分割と観察は、一般の患者の診断の他に、たとえば健康診断などのような被検体全体の総合的な診断を行う場合にも有効となる。
【００４３】
なお、上述した実施の形態では、検査対象である検査データの経過時間に基づいて分割を行っているが、予め設定された被検体内の撮像部位に基づいて、複数のブロック（画像群）に分割しても良い。
【００４４】
すなわち、図１１に示すように、サーバ１０の分割部１２ａが検査データを、たとえば食道と胃に相当するブロック１の画像群と、小腸に相当するブロック２の画像群と、大腸に相当するブロック３の画像群とにそれぞれ分割する。上述した各臓器は、それぞれの臓器内の色調が異なるので、撮像された画像の色調から、画像がどの臓器の画像であるか判別することが可能である。このような色調に基づく臓器の判別方法は、たとえば撮像済みの画像から予め各臓器の平均色を求めておいて、新たに撮像された画像の平均色がどの臓器の平均色に近いかを判断することで判別することができる。
【００４５】
このように、撮像部位（臓器）毎に画像データを分割することで、各部位の専門の医師がそれぞれ対応する部位を同時に観察することができ、これに伴って検査結果の信頼性をさらに高めることが可能である。
【符号の説明】
【００４６】
１  被検体
２  受信装置
２ａ  受身アンテナ
２ｂ  受信装置本体
３  カプセル型内視鏡
４  画像表示システム
５  携帯型記録媒体
１０  サーバ
１１  画像取込部
１２  制御部
１２ａ  分割部
１２ｂ  管理部
１２ｃ，２２ｂ  表示制御部
１３，２３  記録部
１４，２１  インターフェース
１５，２４  入力部
１６，２５  表示部
２０，３０  画像表示端末装置
２２  制御部
２２ａ  編集部
Ｃ〜Ｇ  フォルダ
Ｐ０  カルテ情報
Ｑ０，Ｘ０，Ｙ０，Ｚ０  ウィンドウ
Ｘ１，Ｙ１，Ｚ１  識別情報表示領域
Ｘ２，Ｙ２  観察画面表示領域
Ｘ３，Ｙ３，Ｚ４  縮小画像表示領域
Ｘ４，Ｙ４，Ｚ３  タイムバー
Ｘ５  操作ボタン
Ｘ３１  縮小画像
Ｘ４１，Ｙ４１  ブロック位置表示
Ｘ５２  リポートボタン
Ｙ１  識別情報表示領域
Ｚ２  コメント作成領域
Ｚ５  登録ボタン
【図１】
2011172965.tif 000003
【図２】
2011172965.tif 000004
【図３】
2011172965.tif 000005
【図４】
2011172965.tif 000006
【図５】
2011172965.tif 000007
【図６】
2011172965.tif 000008
【図７】
2011172965.tif 000009
【図８】
2011172965.tif 000010
【図９】
2011172965.tif 000011
【図１０】
2011172965.tif 000012
【図１１】
2011172965.tif 000013